(57)【特許請求の範囲】
【請求項１】
第１支持部と、前記第１支持部に組み付けられる第２支持部と、を有し、相互に組み付けられた前記第１支持部と前記第２支持部との間に発生する挟持力により前記第１支持部と前記第２支持部との間で被支持物を挟持するクリップであって、
前記第２支持部には、前記第１支持部が挿通可能な挿通部が形成され、
前記挿通部は、前記第１支持部が前記挿通部を挿通して前記第２支持部に組み付けられた状態で、前記第１支持部を保持する機能を有し、
前記第１支持部には、前記挿通部と係合可能な係合部と、把持可能な把持部と、が形成され、
前記係合部及び前記把持部は、前記第１支持部が前記挿通部を挿通して前記第２支持部に組み付けられた状態で、前記第１支持部の軸方向に沿った前記第１支持部の前記挿通部からの抜けを防止することを特徴とするクリップ。
【請求項２】
前記第１支持部又は前記第２支持部には、前記第１支持部と前記第２支持部との間に挟持された前記被支持物を押圧する押圧部が形成されていることを特徴とする請求項１に記載のクリップ。
【請求項３】
前記第１支持部及び前記第２支持部には、前記挿通部に対する前記第１支持部の誤進入を防止する進入方向判別手段が形成されていることを特徴とする請求項１に記載のクリップ。
【請求項４】
前記第１支持部の軸方向後端部から軸方向先端部にかけて所定の方向に対して傾斜して形成され、
前記軸方向先端部は、前記第１支持部が前記挿通部を挿通した状態で前記軸方向先端部と前記第２支持部との間に発生する前記挟持力を高める機能を有することを特徴とする請求項１に記載のクリップ。
【発明の詳細な説明】
【技術分野】
【０００１】
本発明は、例えば、新聞紙などの書類を綴じるためのクリップに関する。
【背景技術】
【０００２】
従来から新聞紙などの書類を綴じるためのクリップが知られている。その一例として、新聞紙の中央部分に差し込む第１支持部と、第１支持部と略平行に設けられ第１支持部との間で新聞紙を挟みこんで新聞紙を綴じる第２支持部と、を備えたクリップがある（下記特許文献１参照）。
【０００３】
このクリップによれば、小型かつ軽量で携帯性に優れるとともに、第１支持部を新聞紙の中央部分に差し込むだけで新聞紙を容易に綴じることができる。
【特許文献１】実用新案登録第３０８５４４４号公報
【特許文献２】実用新案登録第３０１６４５９号公報
【特許文献３】実用新案登録第３０４１５５０号公報
【発明の開示】
【発明が解決しようとする課題】
【０００４】
ところで、上記クリップは、第１支持部の基端部と第２支持部の基端部とを強固に固定した構成であるため、第１支持部の先端部と第２支持部の先端部との間に発生する挟持力が大きくなるように設定すると、第１支持部と第２支持部との間に挟持した新聞紙から第１支持部及び第２支持部に作用する力により、第１支持部の基端部と第２支持部の基端部に作用する曲げ応力（曲げモーメント）が大きくなり過ぎてしまう。特に、新聞紙のように被支持物の厚みが厚くなればなるほど、被支持物から第１支持部及び第２支持部のそれぞれに作用する力が大きくなる。この結果、第１支持部の基端部又は第２支持部の基端部において強度不足になり、破損してしまうおそれがある。
【０００５】
そこで、本発明は、上記事情を考慮し、使用時において不意に破損することを防止するとともに、新聞紙などの書類を容易かつ確実に綴じることができるクリップを提供することを目的とする。
【課題を解決するための手段】
【０００６】
本発明は、第１支持部と、前記第１支持部に組み付けられる第２支持部と、を有し、相互に組み付けられた前記第１支持部と前記第２支持部との間に発生する挟持力により前記第１支持部と前記第２支持部との間で被支持物を挟持するクリップであって、前記第２支持部には、前記第１支持部が挿通可能な挿通部が形成され、前記挿通部は、前記第１支持部が前記挿通部を挿通して前記第２支持部に組み付けられた状態で、前記第１支持部を保持する機能を有し、前記第１支持部には、前記挿通部と係合可能な係合部と、把持可能な把持部と、が形成され、前記係合部及び前記把持部は、前記第１支持部が前記挿通部を挿通して前記第２支持部に組み付けられた状態で、前記第１支持部の軸方向に沿った前記第１支持部の前記挿通部からの抜けを防止することを特徴とする。
【０００７】
この発明によれば、第１支持部が第２支持部の挿通部を挿通して第１支持部と第２支持部とが組み付けられた状態で、第１支持部の係合部が挿通部と係合して、第１支持部が第２支持部からの抜けが防止される。これにより、第１支持部と第２支持部が強固に係合されて、一方が他方から離脱して分解してしまうことを防止できる。そして、第１支持部と第２支持部との間で、例えば、新聞などの被支持物を挟持することができる。
【０００８】
ここで、第１支持部が第２支持部の挿通部に挿通されている構成であり、従来のように両者が強固に固定されている構成ではないので、両者の独立した動きが可能になる。特に、第２支持部の挿通部と第１支持部との間に適当な隙間（あそび）を設けることにより、第１支持部と第２支持部の一方の他方に対する動きに柔軟性を持たせることができる。これにより、第１支持部と第２支持部との間に発生する挟持力を大きく設定した場合でも、第２支持部の挿通部近傍と第１支持部の挿通部位に作用する曲げ応力（曲げモーメント）を低減することができ、第１支持部及び第２支持部が破損することを防止できる。
【０００９】
以上のように、クリップの使用時において不意に破損することを防止するとともに、新聞紙などの書類を容易かつ確実に綴じることができる。特に、新聞紙などの厚みのある物を確実に綴じることができ、かつクリップが破損することを防止できる。
また、第１支持部には把持可能な把持部が形成されているため、使用者は把持部を把持することにより、クリップの取扱性を向上できる。特に、携帯性を向上させるため、クリップが小型化し、また、触ったときの感触を良くするために、クリップの表面が滑りやすく加工されていても、把持部を設けることにより、クリップを確実に把持し、持ち易くすることができる。
【００１０】
また、前記第１支持部又は前記第２支持部には、前記第１支持部と前記第２支持部との間に挟持された前記被支持物を押圧する押圧部が形成されていることが好ましい。
【００１１】
この構成によれば、第１支持部又は第２支持部に形成された押圧部により、第１支持部と第２支持部との間に挟持された被支持物に高い圧力を作用させることができる。これにより、第１支持部と第２支持部との間の被支持物を確実に挟持することができる。
【００１４】
また、前記第１支持部及び前記第２支持部には、前記挿通部に対する前記第１支持部の誤進入を防止する進入方向判別手段が形成されていることが好ましい。
【００１５】
この構成によれば、第１支持部及び第２支持部には、第２支持部の挿通部に対する第１支持部の誤進入を防止する進入方向判別手段が形成されているため、第１支持部を第２支持部の挿通部に正確かつ確実に挿入することができる。
【００１６】
さらに、前記第１支持部の軸方向後端部から軸方向先端部にかけて所定の方向に対して傾斜して形成され、前記軸方向先端部は、前記第１支持部が前記挿通部を挿通した状態で前記軸方向先端部と前記第２支持部との間に発生する前記挟持力を高める機能を有することが好ましい。
【００１７】
この構成によれば、第１支持部の軸方向後端部から軸方向先端部にかけて所定の方向に対して傾斜して形成され、軸方向先端部は、第１支持部が挿通部を挿通した状態で軸方向先端部と第２支持部との間に発生する挟持力を高める圧力増加部として機能する。これにより、軸方向先端部と第２支持部との間に発生する挟持力が高くなり、第１支持部と第２支持部との間で、被支持物を確実に挟持することができる。
【発明の効果】
【００１８】
本発明であるクリップによれば、使用時において不意に破損することを防止できるとともに、新聞紙などの書類を容易かつ確実に綴じることができる。
【発明を実施するための最良の形態】
【００１９】
次に、本発明の第１実施形態に係るクリップについて、図面を参照して説明する。
【００２０】
図１乃至図３に示すように、クリップ１０は、直線状に延びる弾性体の支持棒（第１支持部）１２を備えている。この支持棒１２の軸方向一方側端部である先端部は、湾曲状が形成されている。これにより、支持棒１２の先端部が新聞紙の中央部分（折り目の部分）に挿入し易くなる。また、支持棒１２の軸方向他方側端部である後端部には、取手部（把持部）１４が形成されている。この取手部１４は正面視（図３参照）にて円形状に形成されており、その縁部が湾曲状に形成されている。また、取手部１４の正面部及び背面部には、凹部１６がそれぞれ形成されている。このように、使用者が、取手部１４を掴み易いように設計されている。
【００２１】
また、支持棒１２の後端部近傍には、表面から突出した係合片（係合部）１８が形成されている。この係合片１８は、後述の押さえカバー（第２支持部）２０の挿通部２２と係合して、支持棒１２が押さえカバー２０から抜け出ることを防止する機能を有している。
【００２２】
また、図１、図２及び図４に示すように、クリップ１０は、所定の弾性力を備えた弾性体の押さえカバー２０を備えている。押さえカバー２０は、直線状に延び支持棒１２の一部を覆うように構成されている。すなわち、押さえカバー２０は、軸方向一方側端部（先端部）から見た側面視にて円弧状に形成されており、内部に空間部が形成されている。また、押さえカバー２０の先端部近傍には、押圧部２４が形成されている。この押圧部２４は、支持棒１２側に向けて突出しかつ支持棒１２と接触するように形成されており、押圧部２４と支持棒１２との間で発生する挟持力（弾性力）で新聞紙等の書類を挟むことができる。特に、押さえカバー２０の押圧部２４と支持棒１２との間に挟まれた新聞紙は、押圧部２４により高い圧力が付与されて、強固に綴じられる。
【００２３】
さらに、押さえカバー２０の軸方向他方側端部である後端部近傍には、筒状の挿通部２２が形成されている。挿通部２２には、軸方向に貫通した貫通孔２６が形成されている。この貫通孔２６に支持棒１２が貫通することにより、支持棒１２が挿通部２２に挿通して保持される。これにより、支持棒１２が挿通部２２に保持された状態で両者が組み付けられることになるが、両者が組み付けられた状態では、支持棒１２と押さえカバー２０とが強固に固定されることはなく、両者が所定の範囲で独立して動くことが可能になる。また、支持棒１２が挿通部２２に挿通された状態では、挿通部２２の一部が係合片１８と係合するため、支持棒１２が挿通部２２から図２中矢印Ｘ方向に抜け出ることを防止できる。また、支持棒１２が挿通部２２に挿通された状態では、挿通部２２が係合片１８と取手部１４との間に位置しているため、挿通部２２の移動が取手部１４に遮られて、支持棒１２が挿通部２２から図２中矢印Ｙ方向に抜け出ることも防止できる。このように、支持棒１２及び押さえカバー２０は、両者の独立した動きを可能としつつも、両者が分解してしまうことを防止できる構成になっている。
【００２４】
なお、本実施形態では、取手部１４は、支持棒１２の後端部に形成された構成を示したが、押さえカバー２０側に形成されていてもよい。また、押圧部２４は、押さえカバー２０側に形成された構成を示したが、支持棒１２側に形成されていてもよい。
【００２５】
次に、第１実施形態に係るクリップ１０の作用について説明する。
【００２６】
図１、図２及び図５に示すように、クリップ１０を用いて新聞紙Ｎを綴じる場合には、クリップ１０の支持棒１２を新聞紙Ｎの内部の折り返し部分に進入させ、支持棒１２と押さえカバー２０との間に新聞紙Ｎを挿入させる。このとき、支持棒１２の先端部は湾曲状に形成されているため、支持棒１２を新聞紙Ｎの内部の折り返し部分に容易に進入させることができる。
【００２７】
支持棒１２と押さえカバー２０との間に新聞紙Ｎが挿入されると、新聞紙Ｎの折り返し部分の厚みにより支持棒１２と押さえカバー２０の押圧部２４には所定の圧力が作用する。これにより、支持棒１２と押さえカバー２０とは、相互に開く方向に弾性変形することになるが、支持棒１２と押さえカバー２０の相互に閉じる方向に作用する弾性力（挟持力）により新聞紙Ｎが挟まれる。この結果、新聞紙Ｎを綴じることができ、新聞紙Ｎを構成する各頁の紙がばらつくことを防止できる。
【００２８】
ここで、図２に示すように、クリップ１０の支持棒１２は、押さえカバー２０の挿通部２２により保持されているため、支持棒１２と押さえカバー２０が所定の範囲で独立して動くことが可能になる。これにより、支持棒１２と押さえカバー２０の後端部又はその近傍に作用する曲げ応力（曲げモーメント）の一部を逃がすことができ、支持棒１２と押さえカバー２０の後端部又はその近傍に作用する曲げ応力（曲げモーメント）を低減させることができる。これにより、クリップ１０の使用中に、支持棒１２と押さえカバー２０の後端部又はその近傍において破損してしまうことを防止することができる。
【００２９】
また同時に、図２に示すように、支持棒１２と押さえカバー２０とは、挿通部２２と係合片１８で係合されているので、支持棒１２が押さえカバー２０の軸方向一方側（図２中矢印Ｘ方向側）から抜け出てしまうことを防止できる。また、支持棒１２の後端部には、挿通部１４の径よりも大きな径の取手部１４が形成されているため、支持棒１２が押さえカバー２０の軸方向他方側（図２中矢印Ｙ方向側）から抜け出てしまうことを防止できる。これにより、クリップ１０の使用中に、支持棒１２と押さえカバー２０とが不意に分離してしまうことを防止できる。
【００３０】
また、押さえカバー２０の先端部近傍には押圧部２４が形成されているため、押さえカバー２０の弾性力が押圧部２４を介して新聞紙Ｎに伝わることになる。このため、新聞紙Ｎには押圧部２４から高い圧力を作用させることができ、押さえカバー２０と支持棒１２との間で新聞紙Ｎを確実に閉じることができる。この結果、押さえカバー２０と支持棒１２との間で綴じられた新聞紙Ｎがばらつくことを防止できる。
【００３１】
さらに、支持棒１２には取手部１４が形成されているため、使用者は取手部１４を持ってクリップ１０を取り扱うことができる。例えば、クリップ１０の使用時には、使用者は、取手部１４を持って支持棒１２を新聞紙Ｎに差し込むことにより、新聞紙Ｎを押さえカバー２０と支持棒１２との間に容易に進入させることができる。特に、携帯性を向上させるため、クリップ１０が小型化し、また、触ったときの感触を良くするためにクリップ１０の表面が滑りやすく加工されていても、取手部１４を設けることにより、クリップ１０を確実に把持し、持ち易くすることができる。
【００３２】
次に、本発明の第２実施形態に係るクリップについて説明する。
なお、上記第１実施形態のクリップの構成と重複する構成には同符号を付し、その説明を適宜省略する。
【００３３】
図６及び図８に示すように、第２実施形態のクリップ３０を構成する支持棒３２は、支持棒（第１支持部）３２と押さえカバー３４が相互に組み付けられたときに、取手部１４側に位置する軸方向後端部３２Ｒから取手部１４側と反対側に位置する軸方向先端部３２Ｆにかけて、支持棒３２が押さえカバー（第２支持部）３４側に近づくように水平線Ｌに対して傾斜されている。具体的には、支持棒３２の傾斜角度αは、水平線Ｌに対して約４度になることが好ましい。これにより、支持棒３２の軸方向先端部３２Ｆと押さえカバー３４との間に発生する挟持力は、支持棒３２の軸方向後端部３２Ｒ側と押さえカバー３４との間に発生する挟持力よりも格段に大きくなり、支持棒３２の軸方向先端部３２Ｆと押さえカバー３４との間において新聞紙Ｎを確実に挟むことができる。換言すれば、支持棒３２の軸方向先端部３２Ｆは、新聞紙Ｎに作用させる挟持力を高める機能を有している。
【００３４】
また、支持棒３２の後端部側には、支持棒３２の表面から突出するとともに水平方向に沿って直線状に延びたガイド部３６が形成されている。
【００３５】
また、図７に示すように、クリップ３０を構成する押さえカバー３４の挿通部２２の内側面には、支持棒３２のガイド部３６が挿入される溝部３８が形成されている。支持棒３２側のガイド部３６と押さえカバー３４側の溝部３８とが、挿通部２２に対する支持棒３２の誤進入を防止する進入方向判別手段を構成している。なお、押さえカバー３４には、押圧部が形成されていない。
【００３６】
この構成によれば、上述のように支持棒３２が傾斜して形成されているため、支持棒３２の軸方向先端部３２Ｆ側における支持棒３２と押さえカバー３４との間に発生する挟持力が、支持棒３２の軸方向後端部３２Ｒ側における支持棒３２と押さえカバー３４との間に発生する挟持力と比較して大きくなる。これにより、押さえカバー３４に押圧部を形成しなくても、支持棒３２と押さえカバー３４との間の新聞紙Ｎを確実に綴じることができる。この結果、クリップ３０の部品点数を削減でき、クリップ３０の軽量化を図ることができる。
【００３７】
また、支持棒３２の軸方向先端部３２Ｆが押さえカバー３４の挿通部２２に進入していくと、やがて、支持棒３２の軸方向後端部３２Ｒが挿通部２２の近傍に到達する。そして、支持棒３２に形成されたガイド部３６が押さえカバー３４の挿通部２２に形成された溝部３８に入り込む。そして、支持棒３２と押さえカバー３４とが組み付けられた状態では、ガイド部３６が溝部３８に入り込んだ状態が維持される。この構成によれば、使用者が、支持棒３２の向きを逆にした状態で支持棒３２を押さえカバー３４に挿入した場合には、ガイド部３６が溝部３８に入り込まないため、ガイド部３６が挿通部２２の端面に接触し、支持棒３２のさらなる挿入が阻止される。この結果、支持棒３２を押さえカバー３４に完全に挿入させることができなくなる。一方、使用者は、支持棒３２の向きが正しい状態で支持棒３２を押さえカバー３４に挿入した場合には、ガイド部３６が溝部３８に入り込み、支持棒３２が押さえカバー３４に完全に挿入される。このように、ガイド部３６と溝部３８を設けたことにより、使用者は、支持棒３２の向きが正しいのか否かを容易に判別することができる。この結果、支持棒３２が傾斜して構成されている場合でも、支持棒３２と押さえカバー３４とを正しく組み付けることができ、ひいては支持棒３２と押さえカバー３４との間で新聞紙Ｎを確実に挟持することができる。
【図面の簡単な説明】
【００３８】
【図１】本発明の第１実施形態に係るクリップの斜視図である。
【図２】本発明の第１実施形態に係るクリップの構成図である。
【図３】本発明の第１実施形態に係るクリップの第１支持部（支持棒）の構成図である。
【図４】本発明の第１実施形態に係るクリップの第２支持部（押さえカバー）の構成図である。
【図５】本発明の第１実施形態に係るクリップの使用状態を示す図である。
【図６】本発明の第２実施形態に係るクリップの第１支持部（支持棒）の構成図である。
【図７】本発明の第２実施形態に係るクリップの第２支持部（押さえカバー）の構成図である。
【図８】本発明の第２実施形態に係るクリップの構成図である。
【符号の説明】
【００３９】
１０      クリップ
１２      支持棒（第１支持部）
１４      取手部（把持部）
１８      係合片（係合部）
２０      押さえカバー（第２支持部）
２２      挿通部
２４      押圧部
３０      クリップ
３２      支持棒（第１支持部）
３４      押さえカバー（第２支持部）
３６      ガイド部（進入方向判別手段）
３８      溝部（進入方向判別手段）
Ｎ        新聞紙（被支持物）
【図１】
0004926908.tif 000002
【図２】
0004926908.tif 000003
【図３】
0004926908.tif 000004
【図４】
0004926908.tif 000005
【図５】
0004926908.tif 000006
【図６】
0004926908.tif 000007
【図７】
0004926908.tif 000008
【図８】
0004926908.tif 000009